(57)【要約】【課題】無線タグを取付けた食器から、確実にかつ低消費電力で、無線タグに保持させた情報を読み取り可能な配膳用トレイを提供する。【解決手段】本発明の配膳用トレイ１は、食器６、７、８に取付けた無線タグから食材情報を読み出す無線タグリーダ１０を支持する支持部３、無線タグリーダ１０のアンテナとなる導体、無線タグリーダ１０をアンテナと接続する接続端子部２とを有する。この場合、アンテナは、導体を、配膳用トレイ１の縁部に沿って巻回して構成されている。【選択図】図１
2009178357.tif 000002
【特許請求の範囲】
【請求項１】
食堂等で配膳用に用いられる配膳用トレイにおいて、
導体を巻回して構成したアンテナと、
当該アンテナに無線タグリーダを接続するための接続部と、を備えたことを特徴とする配膳用トレイ。
【請求項２】
前記アンテナは、前記導体を、縁部に沿って巻回して構成されていることを特徴とする請求項１に記載の配膳用トレイ。
【請求項３】
前記導体は、プリント配線により構成されたことを特徴とする請求項１または２に記載の配膳用トレイ。
【請求項４】
前記接続部は、食器を載置する部分となる平面部の表面から突出した突起部に組み込まれ、
前記突起部は、前記無線タグリーダの位置決め部を兼ねることを特徴とする請求項１ないし３のいずれか１項に記載の配膳用トレイ。
【請求項５】
前記アンテナは、渦巻状の複数のコイル部を有し、
当該コイル部は、それぞれ略等間隔で、食器を載置する部分となる平面部に対して配置されて構成されていることを特徴とする請求項１に記載の配膳用トレイ。
【発明の詳細な説明】
【技術分野】
【０００１】
この発明は食堂等で配膳用に用いられる配膳用トレイに関し、詳しくは食器等に取付けられた無線タグを読み取る無線タグリーダを取り付け可能に構成された配膳用トレイに関する。
【背景技術】
【０００２】
配膳用トレイ、所謂食器トレイは、一般的に食器を載せて運ぶだけの機能を有しているものであった（例えば、特許文献１）。
【特許文献１】特開平５−２４５０３２号公報
【発明の開示】
【発明が解決しようとする課題】
【０００３】
カフェテリア等で主食や惣菜の価格、カロリー数等の食材情報の表示が、一般化してきている。セルフサービスで一般的となっている、好みのものをトレイに載せて、支払処理のための精算所に持っていく場合、顧客は合計金額を忘れてしまったり、精算所のオペレータも、食器を見たりして値段を確認しながら金銭登録機（レジスタ）に打ち込んだりしなければならず、店においても煩雑な操作を必要としていた。
【０００４】
そこで、本発明は、店、顧客ともに利便性が高い配膳用トレイを提案することを目的とする。
【課題を解決するための手段】
【０００５】
この発明は上記課題を解決すべくなされたものであり、その構成は次のように規定される。
【０００６】
本発明は、食堂等で配膳用に用いられる配膳用トレイにおいて、導体を巻回して構成したアンテナと、当該アンテナに無線タグリーダを接続するための接続部と、を備えたことを特徴とする配膳用トレイである。
【０００７】
この構成により、無線タグリーダによって、配膳用トレイ上の食器等に取付けられた無線タグを確実に読み取ることができる。
【０００８】
又、本発明の配膳用トレイは、導体を、縁部に沿って巻回して構成されていることを特徴とする。
【０００９】
これにより、アンテナの導体が、配膳用トレイの周囲に配置され、載せられた食器類を囲むように配置されるため、微弱電波であっても確実に無線タグを読み取る事が可能となる。
【００１０】
又、本発明の配膳用トレイのアンテナの導体は、プリント配線により構成されたことを特徴とする。
【００１１】
これにより、大量生産で安価に、アンテナを埋め込んだ配膳用トレイを製造することができる。
【００１２】
又、本発明の配膳用トレイのアンテナの接続部は、食器を載置する部分となる平面部の表面から突出した突起部に組み込まれ、突起部は、無線タグリーダの位置決め部を兼ねることを特徴とする。
【００１３】
これにより、無線タグリーダをアンテナとの接続を可能とすると共に、確実に配膳用トレイ上に固定できる。
【００１４】
又、本発明の配膳用トレイのアンテナは、渦巻状の複数のコイル部を有し、当該コイル部は、それぞれ略等間隔で、食器を載置する部分となる平面部に対して配置されて構成されていることをとする。
【００１５】
これにより、周波数が高く、近接読み取り方式で、電磁誘導タイプ、例えば１３．５６ＭＨｚを用いるＲＦＩＤにおいて、読み取り精度を高めたり、消費電力の低減に寄与することができる。
【発明を実施するための最良の形態】
【００１６】
以下、添付した図面を参照して、本発明の一実施形態に係る配膳用トレイについて説明する。図１は、本発明の配膳用トレイ１の外観を示す略図であり、食材を盛り付けた食器６、７、８が載せられているところを示している。配膳用トレイ１の平面部４、又は縁部５には、アンテナ９（図３、又は図４参照）となる導体１９がコイル状に配置されているが、表面は、塗装、あるいはプラスチックモールドによって覆われていて見えない構造となっている。２は、上記導体１９の接続端子部を示している。この接続端子部２に対して、無線タグ（ＲＦＩＤ２０）を読み取る無線タグリーダ１０が接続され、コイル状に配置された導体１９がそのアンテナ９として機能する。３は、無線タグリーダ１０を固定するための支持部であり、トレイの縁部５と支持部３とで無線タグリーダ１０を狭持可能（位置決めセット可能）に構成されている。すなわち、配膳用トレイ１は、平面部４および平面部４の四周を縁取る縁部５から成るトレイ本体に、アンテナ９と、無線タグリーダ１０が接続される接続端子部２と、を組み込んで構成されている。
【００１７】
無線タグリーダ１０は、食器６、７、８に取付けられたＲＦＩＤ２０（図２参照）に格納された情報を読み取る機能と、各種情報を表示部１１に表示する機能とを有している。また、ＲＦＩＤ２０には、少なくともそれぞれの価格情報が格納されていて、顧客が好みの食材が入った食器を配膳用トレイ１に載せ、精算所へ行く前に、無線タグリーダ１０を操作することにより、無線タグリーダ１０によって合計金額が算出され、顧客が、表示部１１の表示によって支払の前にその金額を確認できる。
【００１８】
更に、食材に関係する例えば産地情報などもＲＦＩＤ２０に格納しておくことにより、無線タグリーダ１０に表示させることも可能となる。
【００１９】
図２は、食器２１の裏面を示す略図で、食器２１の裏面には、無線タグであるＲＦＩＤ２０が、取付けられている。図１の食器６、７、８にも同様にそれぞれＲＦＩＤ２０が取付けられている。また、袋に入れられた食材、例えばパン、おにぎりなどにも同様に、包装物に対してＲＦＩＤ２０を取付けることが好ましい。このＲＦＩＤ２０は、少なくともそれぞれの価格が特定できる価格情報を記憶情報として保持している。
【００２０】
図３は、配膳用トレイ１の表面の塗装、あるいはプラスチックモールドを剥がした状態の略図であり、アンテナ９の導体１９を示している。図３では、アンテナ９は縁部５に沿って、食器類を取り囲むように配置されている。このような構成では、周波数の低い長波、例えば略１３０ＫＨｚのＲＦＩＤに有効で、且つ配膳用トレイ１の縁部５を沿わせることにより、その内部に置かれる食器６、７、８、２１のＲＦＩＤ２０を確実に読み取る事が可能となる。
【００２１】
図４は、アンテナ９を複数のコイル２９で構成した配膳用トレイ１の略図である。複数のコイル２９は、略等間隔で配膳用トレイ１の平面部４に配置されている。このような配置によれば、周波数が高く、近接読み取り方式で、電磁誘導タイプ、例えば１３．５６ＭＨｚを用いるＲＦＩＤにおいて、読み取り精度を高めたり、消費電力の低減に寄与することができる。上記複数のコイル２９は、巻き線機で作成したそれぞれのコイルをプラスチックの配膳用トレイ１に埋め込むように構成しても良いし、プリント基板を作成するのと同様の工程で、プリント配線により構成しても良い。プリント配線による製造工程を利用すれば、安価に大量生産も可能となる。
【００２２】
図５は、本発明の配膳用トレイの他の実施形態に係る概略図を示している。突起部５１は、平面部４から突出した構造を有している。また、この突起部５１には、アンテナ９の接続端子部２が配置されていて、この突起部は無線タグリーダ１０の接続部として機能すると共に、無線タグリーダ１０の固定・保持部（位置決めセット部）としても機能する。
【００２３】
以上、本発明の配膳用トレイ１によれば、食器６、７、８等に無線タグであるＲＦＩＤ２０を取付けた場合、その配膳用トレイ１に載せられた食材の価格情報などを正確に読み取って、顧客に提供できるほか、清算処理をするレジスタのオペレータも、その無線タグから、直接金額情報を読み込むことによって、迅速、且つ正確に合計金額を求めることが可能となり、カフェテリア等の利便性を高めることが可能である。
【図面の簡単な説明】
【００２４】
【図１】本発明の配膳用トレイに食器類を載せた状態を示す外観図。
【図２】本発明の配膳用トレイと共に用いられる食器の概略図。
【図３】本発明の配膳用トレイの表面の塗装、あるいはプラスチックモールドを剥がした状態の概略図。
【図４】本発明の配膳用トレイのアンテナを複数のコイルで構成した場合の概略図。
【図５】本発明の配膳用トレイの他の実施形態に係る概略図。
【符号の説明】
【００２５】
１：配膳用トレイ、２：接続端子、４：配膳用トレイの平面部、５：配膳用トレイの縁部、６、７、８、２１：食器、９：アンテナ、１０：無線タグリーダ、１９：アンテナの導体、２９：アンテナ用コイル
【図１】
2009178357.tif 000003
【図２】
2009178357.tif 000004
【図３】
2009178357.tif 000005
【図４】
2009178357.tif 000006
【図５】
2009178357.tif 000007